(57)【要約】【課題】デジタルカメラ付地上望遠鏡において、ＴＴＬ測光方式により適正な露出制御を行ないながら、しかもごく短かい撮影インターバルで連続撮影を行なえるようにする。【解決手段】ペンダダハプリズム７により対物レンズ１の正立像を焦点板８の位置に形成し、その空中像を観察できるよう接眼レンズ９を設ける。対物レンズ１の光路にはメカシャッタ１２とクイックリターンミラー２を設けるとともに、前記正立像と共役位置にＣＣＤ３を配置する。速写モードが設定されると、最初のシャッタボタン１１の半押し操作によりＣＣＤ３による測光処理を行ない露出制御データを得、その後シャッタボタン１１の全押し操作が行なわれると速写モードが解除されるまでは測光処理を行なうことなく同じ露出制御データに基づきＣＣＤ３による撮影を行なう。【選択図】        図１
2004159204.tif 000002
【特許請求の範囲】
【請求項１】
対物レンズと、
前記対物レンズの結像面に配置された撮像素子と、前記撮像素子の撮像動作を制御する撮像素子駆動回路と、前記撮像素子で撮影された画像データを記録媒体に記録する画像処理回路から成る撮影手段と、
前記対物レンズと前記撮像素子の間に配置された退避可能なクイックリターンミラーと、
前記クイックリターンミラーにより分割された光軸上に配置され前記クイックリターンミラーとともに正立光学系を構成する正立光学素子と、
前記正立光学素子により前記対物レンズの結像面と共役な位置に形成された被写体の正立像を空中像として観察するための接眼レンズとを有し、
観察時、前記クイックリターンミラーにより前記正立光学素子方向に光路を変換させ、前記接眼レンズを介して被写体の正立像を空中像としてユーザに観察させ、一方、撮影時、前記クイックリターンミラーを退避させ、前記撮影手段による撮影処理を行なうデジタルカメラ付地上望遠鏡において、
所定のユーザ操作により設定される速写モードにおいて、前記速写モード設定後の最初のシャッタ操作により前記撮像素子による測光処理を行なって露出制御データを取得し、その後、前記速写モードが解除されるまで前記露出制御データに基づき前記撮影手段により撮影処理を行なわせる制御手段を有することを特徴とするデジタルカメラ付地上望遠鏡。
【発明の詳細な説明】
【０００１】
【発明の属する技術分野】
本発明は、観察対象の画像をデジタル撮影可能なデジタルカメラ付地上望遠鏡に関するものである。
【０００２】
【従来の技術】
野鳥などの自然動物を観察するために２０倍から６０倍程度の倍率の地上望遠鏡が広く用いられている。一般に、地上望遠鏡の構成として、正（凸）レンズと、正立系として機能する負（凹）レンズからなるガリレイ式望遠鏡を基本とする構成、あるいは正（凸）レンズのみからなるケプラー式望遠鏡の基本構成に正立系としてプリズムなどを加えたものなどが知られているが、いずれにしても地上望遠鏡とはユーザが正立像を観察できるように構成されたものをいう。
【０００３】
自然動植物の観察の用途に地上望遠鏡を用いる場合、対象物を観察するだけでなく記録に留めたいという需要がある。出願人は、既に観察像を撮影可能なシステムでありながら、空中像を観察するために、鮮明で明るい像を観察することができるデジタルカメラ付地上望遠鏡の構成を下記特許文献１に示す特許出願で提案している。
【０００４】
特許文献１に記載の構成は、プリズムにより対物レンズの正立像を焦点板の位置に形成し、その空中像を観察できるよう接眼レンズを設ける一方、対物レンズの光路には光路分割ミラーを設けるとともに、前記正立像と共役位置にＣＣＤを配置するものである（同文献図１）。撮影時には、光路分割ミラーをはね上げ、ＣＣＤ〜画像処理回路を介して画像データを取り込み記録媒体に記録することができる。このような構成によれば、ピントグラスやＬＣＤなどの表示手段を用いず、対物レンズの空中像をユーザに観察させる一方、空中像と共役位置に配置した撮像素子により観察画像を記録でき、観察時は通常の地上望遠鏡のように鮮明で明るい像が得られ、しかも簡易に観察画像を電子画像として記録できる。
【０００５】
【特許文献１】
特願２００２−４７３０４号  （図１）
【０００６】
【発明が解決しようとする課題】
デジタルカメラでは、ＣＣＤなどの撮像手段の駆動条件、あるいは出力を増幅する増幅器のゲイン調整といった露出制御を行なう必要があり、このことは上記のような地上望遠鏡に一体化されたデジタルカメラにおいても同様であり、また、このような露出制御は製品によっては手動によることとしても良いが、自動で露出制御を行なえるのが望ましいのはいうまでもない。
【０００７】
デジタルカメラの自動露出では、外部の測光素子などを用いることなく、撮影に用いるものと同じ撮像手段を用いて測光を行ない（ＴＴＬ方式：Ｔｈｒｏｕｇｈ  Ｔｈｅ  Ｌｅｎｓ方式）、その結果に基いて露出条件を制御するのが最も好ましい。
【０００８】
たとえば、シャッタボタンによりユーザが撮影タイミングを指示した時、撮影区間の直前で同じ撮像手段を用いて測光を行ないその結果に応じて撮影条件を決定すれば、照明条件などの変動の影響も少なく、良好な露光制御が行なえるものと考えられ、多くのデジタルカメラではこのような露光制御方式が採用されている。
【０００９】
ところが、ＣＣＤのような撮像素子を測光と撮影の両方に用いる場合、問題となるのは測光と撮影のいずれにおいても撮像素子からの画素データの読み出しと、余分な電荷の掃き出しのために比較的長い処理時間が必要であり、単に毎回の撮影ごとに測光と撮影を繰り返す構成では、１フレームあたりの撮影処理時間が数１００ｍｓとなることも珍しくなく、撮影と後続の撮影の間の最小インターバル（あるいは単位時間あたりの最大撮影枚数）を短縮するのが難しい。
【００１０】
なお、外部測光素子を用いて測光し、露光制御を行なう構成によれば、上記の問題は回避できるが、外部測光素子は必ずしも撮影像の明るさを反映しているとはいえず、撮影像にみあった適正な露出制御を行なえない問題がある。
【００１１】
デジタルカメラ付地上望遠鏡のような製品では、たとえば野鳥のように時として動きの速い被写体の観察／撮影に用いられることが多く、連写（インターバルの短かい連続撮影）の需要が予想されるので、撮影インターバルがあまり大きければその製品の商品価値を損なうおそれがある。
【００１２】
本発明の課題は、上記の問題を解決し、デジタルカメラ付地上望遠鏡において、ＴＴＬ測光方式により適正な露出制御を行ないながら、しかもごく短かい撮影インターバルで連続撮影を行なえるようにすることにある。
【００１３】
【課題を解決するための手段】
上記の課題を解決するため、本発明によれば、対物レンズと、前記対物レンズの結像面に配置された撮像素子と、前記撮像素子の撮像動作を制御する撮像素子駆動回路と、前記撮像素子で撮影された画像データを記録媒体に記録する画像処理回路から成る撮影手段と、前記対物レンズと前記撮像素子の間に配置された退避可能なクイックリターンミラーと、前記クイックリターンミラーにより分割された光軸上に配置され前記クイックリターンミラーとともに正立光学系を構成する正立光学素子と、前記正立光学素子により前記対物レンズの結像面と共役な位置に形成された被写体の正立像を空中像として観察するための接眼レンズとを有し、観察時、前記クイックリターンミラーにより前記正立光学素子方向に光路を変換させ、前記接眼レンズを介して被写体の正立像を空中像としてユーザに観察させ、一方、撮影時、前記クイックリターンミラーを退避させ、前記撮影手段による撮影処理を行なうデジタルカメラ付地上望遠鏡において、所定のユーザ操作により設定される速写モードにおいて、前記速写モード設定後の最初のシャッタ操作により前記撮像素子による測光処理を行なって露出制御データを取得し、その後、前記速写モードが解除されるまで前記露出制御データに基づき前記撮影手段により撮影処理を行なわせる制御手段を有する構成を採用した。
【００１４】
【発明の実施の形態】
以下、図を参照して本発明の実施の形態を説明する。図１は本発明を採用したデジタルカメラ付地上望遠鏡の全体構成を示している。
【００１５】
図１において符号１は対物レンズである。図１では対物レンズ１は単レンズとして図示してあるが、その素子構成や駆動系の構成は任意である。対物レンズ１はズーム系、たとえば外部からの操作によってズーミング（モータドライブであるかマニュアルドライブかなどを問わない）およびピント合わせができる構成であってもよい。対物レンズ１の焦点距離はたとえば１４０ｍｍから４２０ｍｍ程度とする。
【００１６】
対物レンズ１の光軸上には、クイックリターンミラー２が光軸に対して４５°の角度で配置されている。このクイックリターンミラー２は軸２ａを中心に回動可能に支持されており、通常は実線位置（ＣＬＯＳＥ状態）にあり、撮影時には不図示のスプリングなどの駆動力により破線によって示された位置まで退避（ＯＰＥＮ状態）するようになっている。クイックリターンミラー２の駆動系には、一眼レフカメラのクイックリターンミラーと同等の構成を用いることができる。
【００１７】
また、クイックリターンミラー２の前方には、メカシャッタ１２が配置されている。メカシャッタ１２にはダイヤフラム式の構造を有するものを用いることができる。またメカシャッタ１２は開口絞りの機構を持たせても良い。メカシャッタ１２は、光学系の設計上の瞳位置に配置する。メカシャッタ１２は、必ずしもクイックリターンミラー２の前方に配置する必要はなく、光学系の設計条件などに応じてクイックリターンミラー２の後方など任意の位置に配置できる。
【００１８】
なお、本実施形態では、上記のように符号１２のシャッタに「メカシャッタ」の名称を用いているが、これは単に後述のＣＣＤドライバ（駆動）回路１３の「電子シャッタ」と区別するためのもので、必ずしも純機械的な駆動源により駆動されるシャッタへの限定を意図したものではなく、メカシャッタ１２の駆動にはソレノイドなどの電気／電子的な駆動および制御手段を用いてよい。
【００１９】
クイックリターンミラー２の背後にはデジタル画像撮影のための撮像素子としてＣＣＤ３が配置されている。このＣＣＤ３上には対物レンズ１によって生成される像が結像される（結像位置Ｐ１）。
【００２０】
一方、クイックリターンミラー２の上部には光路を水平方向に曲げるペンタダハプリズム７が配置されている。ペンタダハプリズム７は、クイックリターンミラー２とともに対物レンズ１によって生成される被写体像を正立像にする正立光学系として機能する。
【００２１】
また、ペンタダハプリズム７背後のＣＣＤ３との共役位置（結像位置Ｐ２）にはＣＣＤ３の撮影範囲を示す焦点板８が置かれている。さらにその後方には焦点距離７ｍｍ（焦点距離は任意である）程度の接眼レンズ９が配置されている。この接眼レンズ９は視度調整のために光軸に沿って前後できるような機構になっている。
【００２２】
被写体Ｏ（野鳥など）の実像は焦点板８の位置に形成され、この空中像の虚像（正立像）をユーザＵは接眼レンズ９を介して観察する。
【００２３】
ＣＣＤ３の駆動はＣＣＤドライバ回路１３により制御される。ＣＣＤドライバ回路１３は、ＣＣＤ３からの画素データの掃き出しを制御する電子シャッタ回路を含む。ＣＣＤドライバ回路１３の電子シャッタは撮影区間の間、開かれ（ＯＰＥＮ）、それ以外の期間では閉じられる（ＣＬＯＳＥ）。また、ＣＣＤドライバ回路１３はＣＣＤ３から取り出したアナログ画像信号を増幅する増幅回路を含む。また、ＣＣＤドライバ回路１３は後述の測光および撮影後の不要電荷のクリア処理も行なう。
【００２４】
ＣＣＤドライバ回路１３の上記の電子シャッタ回路の駆動タイミング、および増幅回路の利得は、後述の測光処理の結果に応じて制御される。
【００２５】
ＣＣＤ３によって撮影された画像データは、ＣＣＤドライバ回路１３の制御に基づき画像処理回路４に取り込まれ、ＪＰＥＧ形式などのデータファイルとして記録媒体５に書き込むことができるようになっている。
【００２６】
画像処理回路４の構成は公知であるのでここでは詳細には説明しないが、ＪＰＥＧ形式などのデータファイルへの変換処理の他、ユーザ操作によって設定可能なディメンション（画素サイズ）の変換、色補正などの機能を含んでいてよい。
【００２７】
記録媒体５としては、メモリカード（カードのほか、スティックなどの名称も用いられる）や半導体カード、ＰＣカード、フレキシブルディスクなど任意の記録媒体を用いることができる。
【００２８】
符号１０はマイクロプロセッサ、メモリ、その他のチップセットなどから構成された制御部で、シャッタボタン１１の操作に応じてクイックリターンミラー２のはね上げ、メカシャッタ１２の開閉、露光制御（後述）、ＣＣＤ３による撮影、その後の画像処理、および記録媒体５への格納を制御する。
【００２９】
シャッタボタン１１は、後述の操作が行なえるように、その半押し操作および全押し操作の違いを検出できるような機構から構成する。
【００３０】
図１において符号６は上記の電子回路を駆動する電源で、通常は電池などにより構成される。
【００３１】
以上のような構成における動作の概略を、まず観察操作および撮影操作を中心に説明する。先ず、事前にユーザの視度に接眼レンズ９を合わせておく必要がある。接眼レンズ９を出し入れし焦点板８の視野枠もしくはパターンが明瞭に見えるようにしておく。これが視度調整である。この視度調整を済ませておけば、接眼レンズ９を通して見た像が明瞭であればＣＣＤ３上にも明瞭な像ができるよう、光学系を設計しておく。
【００３２】
被写体Ｏの観察は次のようにして行なうことができる。観察モードでは、メカシャッタ１２は開放、クイックリターンミラー２は図１の実線位置（ＣＬＯＳＥ）に制御される。
【００３３】
対物レンズ１がズーム系である場合は、バードウォッチングなどにおいて遠方に野鳥（以下、被写体Ｏは野鳥であるものとして説明する）を見つけた場合、まず対物レンズ１を最も短焦点位置にしてその野鳥の方向に向ける。この対物レンズ１に入射した光はクイックリターンミラー２によって上方に曲げられ、さらにペンタダハプリズム７によって水平方向に曲げられると同時に焦点板８上に正立像８ａが生成される。接眼レンズ９を覗くことで２０倍の観察像が得られる。この広角のズーム状態で野鳥を捜せば比較的簡単に視野に入れることができる。さらに、野鳥（被写体Ｏ）を視野の中心に保ちながら対物レンズ１の焦点距離を長焦点位置に変えていくと野鳥を（被写体Ｏ）を拡大して観察することができる。もし、この時野鳥を記録に残すのであればその状態でシャッタボタン１１を押す。
【００３４】
これにより、制御部１０は、クイックリターンミラー２のはね上げを起動するソレノイドなどの駆動素子（不図示）を駆動することによりクイックリターンミラー２を破線で示された位置（ＯＰＥＮ位置）に退避させ、その直後にＣＣＤ３からの画像データ取り込み、および画像処理回路４による記録媒体５への書き込みを開始させる。
【００３５】
本実施形態では、画像撮影には、通常モードと速写モードを用意する。通常モードと速写モードの詳細については後述する。
【００３６】
撮影された野鳥（被写体Ｏ）の像は、画像処理回路４により記録媒体５に記録される。撮影処理中、クイックリターンミラー２が破線位置（ＯＰＥＮ位置）にあるときは接眼レンズ９による観察はできないが、ＣＣＤ３による画像データの取り込み（撮影）後、後述のようにしてクイックリターンミラー２は実線位置（ＣＬＯＳＥ位置）に自動復帰するため、その後は観察を継続できる。
【００３７】
本実施形態の光学系の構成によれば、焦点板８の位置に形成される被写体の正立像を空中像として観察する接眼レンズ９を設ける一方、撮影時は接眼レンズ９方向に光路を変更するクイックリターンミラー２をはね上げて焦点板８の位置に形成される正立像と共役位置に配置されたＣＣＤ３により観察画像の画像データを撮影し、記録媒体５に記録する構成を用いているため、観察時は通常の地上望遠鏡のように鮮明で明るい像が得られ、しかも簡易に観察画像を電子画像として記録できる。
【００３８】
特に、本実施形態においては、従来の一眼レフカメラを用いた方式のようにピントグラスを介して観察像を形成せず、また、従来のデジタルカメラを用いる方式のように観察にＬＣＤのような表示素子を用いずに、対物レンズ（および適当な正立系）により形成された空中像を直接観察するようにしているため、非常に明るく鮮明な対象物の画像を観察でき、しかも、観察したものと同じ画像を直ちにデジタル画像データとして記録媒体に記録できる。
【００３９】
さて、本実施形態の画像撮影における通常モードと速写モードの詳細について説明する。
【００４０】
図２は通常モードの撮影時の各部の動作タイミングを、図３は速写モードの撮影時の各部の動作タイミングをそれぞれ示している。これら通常モード、速写モードのいずれを選択するかは、操作パネル（不図示）に設けた適当なモード設定操作手段により決定できるようにしておく。
【００４１】
図２の通常モードの制御は、公知のメカシャッタおよびクイックリターンミラーを有するデジタルカメラにおけるデジタル静止画撮影処理に準ずるものである。図２の通常モードの制御は、通常モード設定操作（ｔ００）後に行なわれる。
【００４２】
撮影レディ状態（Ｔ０１）において、時刻ｔ０１でシャッタボタン１１が全押しされると、クイックリターンミラー２がＣＬＯＳＥ位置からＯＰＥＮ位置に移動され（ｔ０２）、ここで測光（露光）制御が開始される。
【００４３】
これに先立つｔ０１〜ｔ０２のタイミングでは、必ずしも必要ではないが、クイックリターンミラー２の移動にともなう観察画像のちらつきが接眼レンズ９を介して知覚されないように一旦メカシャッタ１２を閉じている。
【００４４】
露出測定はＴＴＬ方式で撮影に用いるものと同じＣＣＤ３により行なう。ＣＣＤドライバ回路１３の電子シャッタが開放（ＯＰＥＮ）に制御され、ＣＣＤドライバ回路１３によりＣＣＤ３の画素データを掃き出して電子シャッタを閉じ（ｔ０４）、この画素データに対してＡ／Ｄ変換および必要であれば適当なデータ変換を行なった後、制御部１０に測光データとして出力する。
【００４５】
制御部１０は、入力された測光データに基づき、ＣＣＤドライバ回路１３の電子シャッタ回路の駆動タイミング、増幅回路の利得などの必要な撮影条件データ（露出制御データ）を決定する。この演算はＣＣＤドライバ回路１３からの測光データの到着が始まった後、直ちに開始される。
【００４６】
図２の区間Ｔ０３は、制御部１０が測光データに基づく撮影条件の決定処理の残りの部分を行なうとともに、ＣＣＤドライバ回路１３がＣＣＤ３から不要電荷をクリアする処理に必要な処理時間である。
【００４７】
これに続き、撮影区間Ｔ０４（ｔ０６〜ｔ０７）において、実際の撮影を行なう。ここではＣＣＤドライバ回路１３が、制御部１０により決定された撮影条件データ（露出制御データ）に基づきＣＣＤ３の制御を行なう。すなわち、制御部１０により決定された撮影条件データ（露出制御データ）に基づき、電子シャッタを再度開き、ＣＣＤ３の画素データを掃き出してＡ／Ｄ変換し得られた画像データを画像処理回路４に対して出力する。画像処理回路４は入力された画像データをＪＰＥＧなどの形式に変換し記録媒体５に記録する。
【００４８】
クイックリターンミラー２のＣＬＯＳＥ位置への復帰タイミング（ｔ０８）は、撮影区間Ｔ０４の終了に応じて制御部１０が決定すればよい。ｔ０８〜ｔ０９のタイミングでは前述同様に観察像のちらつきを抑えるため、一旦メカシャッタ１２を閉じている。
【００４９】
以上のようにして、通常モードの撮影が行なわれる。図２から明らかなように、測光制御（Ｔ０２）と撮影（Ｔ０４）の期間を通してクイックリターンミラー２は図１のＯＰＥＮ位置に制御され、この期間は接眼レンズ９を介した観察が不可能となる。
【００５０】
そして、前述のように撮影（Ｔ０４）に先立って測光制御（Ｔ０２）およびそれに続く不要電荷のクリア期間（〜ｔ０６）が必要であり、シャッタボタン１１の操作ごとに図２のサイクルを繰り返す方式では、次の撮影が行なえるまでの最小撮影インターバルを図２の１サイクルの処理が必要とする時間以上に短縮することができない。
【００５１】
高速な素子と処理回路を用いても、動きの速い被写体Ｏの連写、のようなユーザの需要に応えるにはおのずと限界がある。
【００５２】
そこで本実施形態では、図３に示すような速写モードを選択可能とする。図３のタイミング、および区間の参照符号については、図２のＴ０１〜Ｔ０５、およびｔ００〜ｔ０９の各「０」を「１」に置き換えたＴ１１〜Ｔ１５、およびｔ１０〜ｔ１９を用いており、以下では重要なものを除き明示的な説明を省略し、それらについては図２に関する説明がそのまま適用されるものとする。
【００５３】
図３の速写モードの特徴は、速写モード設定操作（ｔ１０）を行ない、該モード選択後の最初のシャッタボタン１１の半押し操作により測光制御（Ｔ１２）を１回だけ行ない、得られた撮影条件データ（露出制御データ）を速写モードが解除されるまでの連続して行なわれるいずれの撮影にも用いるようにした点である。
【００５４】
これにより、（速写モード選択後の最初の撮影を除けば）図２の通常モードでは撮影（Ｔ１４）に先立って必要であった測光制御（Ｔ１２）およびそれに続く不要電荷のクリア期間は不要となり、次の撮影が行なえるまでの最小撮影インターバルを著しく短縮することができる。
【００５５】
また、クイックリターンミラー２は、露出測定が終了した後の区間Ｔ１３（速写モードスタンバイ状態）においてＣＬＯＳＥ位置に戻し、メカシャッタ１２も開放（ＯＰＥＮ）状態としているため、ユーザは接眼レンズ９を介して連写を対象とする被写体の観察を続けることができる。
【００５６】
図３においても、クイックリターンミラー２の移動の前後でメカシャッタ１２を駆動し観察画像のちらつきを抑止している点は図２と同様であるが、速写モードスタンバイ状態（Ｔ１３）に先立ち、クイックリターンミラー２のＣＬＯＳＥ位置への移動（ｔ１３）とメカシャッタ１２のＯＰＥＮ位置への移動（ｔ１４）は、制御部１０による露出制御データの演算とＣＣＤドライバ回路１３による不要電荷のクリア処理が終了した時点で行なう。
【００５７】
速写モードスタンバイ状態（Ｔ１３）となった後は、必要なタイミングでシャッタボタン１１を全押し（ｔ１５）すれば、速写モード設定直後の最初のシャッタボタン１１の半押し操作により決定された露光条件データを用いて直ちに撮影が行なわれる。
【００５８】
すなわち、タイミングｔ１９以降の撮影レディ状態に入ると、シャッタボタン１１を全押しすれば、タイミングｔ１５以降の露出測定を行なうことなく、最初のシャッタボタン１１の半押し操作により決定された露光条件データを用いて撮影が行なわれる。このシャッタボタン１１の全押しによる撮影（速写ないし連写）は速写モードが解除されるまで繰り返すことができる。
【００５９】
図３の速写モードによれば、２回目以降の最小撮影インターバルは、通常モードに比して測光制御（Ｔ１２）およびそれに続く不要電荷のクリア期間に相当する長さ（ハードウェアにより異なるが、数１０〜数１００ｍｓのオーダ）だけ短縮することができる。また、ごく単純に測光と撮影の処理時間がほぼ同等であるものとすれば、速写モードではほぼ２倍の枚数の撮影が可能となる、と考えてよい。
【００６０】
また、同様の理由で、１フレームの撮影のために必要な接眼レンズ９の観察画像の消失期間（ｔ１５〜ｔ１９：クイックリターンミラー２のはね上げにより生じる）も著しく短かくなり、撮影時の操作性は著しく向上する。
【００６１】
以上では、速写モードの最初の撮影のみ測光制御により遅延するものと説明したが、実際の撮影用途ではこの遅延は問題にならない場合も多い。たとえば、野鳥などの自然動物を既に撮影画角に捉えた状態において、その被写体の動きが予想された場合に、速写モードを設定し、シャッタボタン１１を半押しして露出を決定してしまい、被写体が動き始めたらシャッタボタン１１の全押しを繰り返す（あるいは押し放し）ような操作状況が一般的であると考えられるが、このような使い方であれば連写１枚目の撮影タイミングが遅延するような問題は生じない。
【００６２】
通常／速写のモード選択は、専用のモード設定操作手段を用いて行なう構成でもよいが、速写モードは迅速に設定（あるいは設定解除）できるのが好ましいので、シャッタボタン１１の特殊な操作態様により設定（あるいは設定解除）できるようにしてもよい。たとえばシャッタボタン１１の複数回押しなどの操作態様により速写モードを設定（あるいは設定解除）できるようにしておけば、きわめて迅速に、また、本体の持ち換えを行なうことなく観察を続けながら速写モードへの移行／通常モードへの復帰を行なうことができる。
【００６３】
以上のように、本実施形態のデジタルカメラ付地上望遠鏡は、通常撮影モードに加え本発明に特徴的な速写モードを設けており、速写モードにおいては通常撮影モードに比して著しく短かい撮影インターバルで従来よりも多数枚の連続撮影を行なえる、という優れた利点がある。
【００６４】
なお、上記実施形態に示した光学系はあくまでも一例であり、その構成要素は当業者において適宜変更できる。たとえば、地上望遠鏡に必要な正立像を形成するための正立光学系には上記のペンタダハプリズムおよびクイックリターンミラーの組合せからなる構成のみならず、任意の光学系を用いることができる。また、以上で触れた通り、メカシャッタの配置位置とその機械的な構成（他のシャッタ方式、たとえばフォーカルプレーンシャッタであるか否かなど）、対物光学系の構成（ズーム系であるか否かなど）なども任意である。
【００６５】
【発明の効果】
以上の説明から明らかなように、本発明によれば、所定のユーザ操作により設定される速写モードにおいて、同速写モード設定後の最初のシャッタ操作により撮像素子による測光処理を行なって露出制御データを取得し、その後、速写モードが解除されるまで露出制御データに基づき撮影を行なう構成を採用しているので、ＴＴＬ測光方式により適正な露出制御を行ないながらも著しく短かい撮影インターバルで従来よりも多数枚の連続撮影を行なえる、優れたデジタルカメラ付地上望遠鏡を提供することができる。
【図面の簡単な説明】
【図１】本発明を採用したデジタルカメラ付地上望遠鏡の全体構成を示した説明図である。
【図２】図１の装置の通常モードにおける各部の動作タイミングを説明するタイミングチャート図である。
【図３】図１の装置の速写モードにおける各部の動作タイミングを説明するタイミングチャート図である。
【符号の説明】
１  対物レンズ
２  クイックリターンミラー
３  ＣＣＤ
４  画像処理回路
５  記録媒体
６  電源
７  ペンタダハプリズム
８  焦点板
９  接眼レンズ
１０  制御部
１１  シャッタボタン
１２  メカシャッタ
１３  ＣＣＤドライバ回路
【図１】
2004159204.tif 000003
【図２】
2004159204.tif 000004
【図３】
2004159204.tif 000005